(57)【要約】【課題】軽量且つ強度が十分で適度な弾性を有するメガネフレームを提供する。【解決手段】メガネフレーム構成ユニットは、リム部１２と、テンプル１４とを備える。リム部１２およびテンプル１４の少なくとも一方は、繊維強化プラスチックで製造される第一シェルレイヤを有する長軸からなる管体を含む。第一シェルレイヤは、複数の第一繊維束で構成される。これにより、メガネフレームは軽量化され、強度も十分で適度な弾性を有する。【選択図】図１
2013088801.tif 000002
【特許請求の範囲】
【請求項１】
前フレームと、テンプルと、を備えるメガネフレームであって、
前記前フレームおよび前記テンプルの少なくとも一方は、繊維強化プラスチックで製造される第一シェルレイヤを有する長軸からなる管体を有し、
前記第一シェルレイヤは、複数の第一繊維束で構成されることを特徴とするメガネフレーム。
【請求項２】
各前記第一繊維束の延伸方向と前記管体の長軸とのなす第一角度は、０°であることを特徴とする請求項１に記載のメガネフレーム。
【請求項３】
前記管体は、繊維強化プラスチックで製造される第二シェルレイヤを更に有し、
前記第二シェルレイヤは、複数の第二繊維束及び複数の第三繊維束からなり、
各前記第二繊維束の延伸方向と前記管体の長軸とは、第二角度で互いに交差し、
各前記第三繊維束の延伸方向と前記管体の長軸とは、第三角度で互いに交差することを特徴とする請求項１または２に記載のメガネフレーム。
【請求項４】
前記第二角度は、＋３０°以上＋６０°以下であり、
前記第三角度は、−３０°以下−６０°以上であることを特徴とする請求項３に記載のメガネフレーム。
【請求項５】
前記第二角度は、＋４５°であり、
前記第三角度は、−４５°であることを特徴とする請求項４に記載のメガネフレーム。
【請求項６】
前記管体内に填装され、ポリウレタンフォーム材料で製造される芯部を更に含むことを特徴とする請求項１〜３のいずれか一項に記載のメガネフレーム。
【請求項７】
前記テンプルは、第一端および第二端を有し、
前記第一端および前記第二端により前記管体の長さが定められることを特徴とする請求項１〜３のいずれか一項に記載のメガネフレーム。
【請求項８】
前記前フレームは、ロッド部、及び前記ロッド部の二端から上または下へと所定の長さをそれぞれ延伸される第一支持部及び第二支持部を有し、
前記ロッド部と、前記第一支持部及び前記第二支持部とにより、レンズを納置させる収納空間を定義することを特徴とする請求項１〜３のいずれか一項に記載のメガネフレーム。
【請求項９】
前記収納空間は、前記前フレームの内側面上の溝部に配置されることを特徴とする請求項８に記載のメガネフレーム。
【請求項１０】
前記溝部は、前記レンズの対応する部位に設けられる突起を嵌入させる凹部を有することを特徴とする請求項９に記載のメガネフレーム。
【請求項１１】
前記第一シェルレイヤは、熱硬化性樹脂と繊維を補強させる繊維強化プラスチックプリプレグにより製造されることを特徴とする請求項１または２に記載のメガネフレーム。
【発明の詳細な説明】
【技術分野】
【０００１】
本発明は、メガネフレームに関し、より詳しくは、メガネフレームを構成させるユニット（ｕｎｉｔ）或いは組立体(ａｓｓｅｍｂｌｙ)に関する。
【背景技術】
【０００２】
周知のように、現在一般的に使用されるメガネフレームは、通常レンズを納置する一対の前フレームと、各前フレームの外縁にそれぞれ回転可能に設置されると共にメガネを掛ける者の頭部の両側に挟着される一対のテンプル(ｔｅｍｐｌｅ)と、を有する。前フレームは通常更に２つに分類され、１つはフルリム（ｆｕｌｌ  ｒｉｍ）であり、もう１つはハーフリム(ｈａｌｆ  ｒｉｍ)である。本発明のメガネフレームは、前述の前フレーム或いはテンプルについてのものである。
【先行技術文献】
【特許文献】
【０００３】
【特許文献１】米国特許５，９１４，７６７号明細書
【発明の概要】
【発明が解決しようとする課題】
【０００４】
しかしながら、前述した従来の技術では、テンプルは、プラスチックや金属で製造されるものがある。プラスチックで製造されるものは、テンプルの外径は大きいか、さもなければ強度が不十分であり、これでは軽量化の要求を満たせない。金属で製造されるものは、外径は細いが、欠点もあり、例えば硬質な金属で製造されるものは弾性が不十分であり、弾性がある金属で製造されるものは変形し易いという点である。
【０００５】
前フレームについては、フルリムの前フレームは、プラスチックか金属かによらず、納置空間が制限されるため、レンズ交換が容易ではない。ハーフリムの前フレームは、強度の関係上、プラスチックで製造されるものは少なく、金属で製造されるものは、金属或いはプラスチックの細索を用いレンズの下半辺縁に固結させねばならない(例えば、特許文献１参照)。さもなければ、レンズがすぐに滑落してしまい、レンズ交換が不便になる。
【０００６】
本発明は、このような従来の問題に鑑みてなされたものである。上記課題解決のため、本発明は、軽量且つ強度が十分で弾性も適度なメガネフレーム構成ユニットを提供することを主目的とする。
本発明は、簡単にレンズ交換可能なメガネフレームの前フレームを提供することを第二の目的とする。
【課題を解決するための手段】
【０００７】
上述した課題を解決し、目的を達成するために、本発明に係るメガネフレームは、前フレームと、テンプルと、を備える。前フレームおよびテンプルの少なくとも一方は、繊維強化プラスチック(Ｆｉｂｅｒ  Ｒｅｉｎｆｏｒｃｅｄ  Ｐｌａｓｔｉｃ)で製造される第一シェルレイヤを有する長軸からなる管体を含む。第一シェルレイヤは、複数の第一繊維束で構成されることを特徴とする。
これにより、メガネフレーム構成ユニットは軽量化され、強度も十分で適度な弾性を有する。
【０００８】
ここで、各第一繊維束の延伸方向と管体の長軸とのなす第一角度は、０°であることが好ましい。
【０００９】
詳しくは、本態様のメガネフレームのテンプル(Ｔｅｍｐｌｅ)は、長軸からなる管体を含む。管体は、熱硬化性樹脂及び繊維を補強させる繊維強化プラスチック材料で製造される第二シェルレイヤを含む。第二シェルレイヤは複数の第二繊維束と第三繊維束を有し、各第二繊維束の延伸方向は第二角度で管体の長軸と互いに交差し、各第三繊維束の延伸方向は第三角度で管体の長軸と互いに交差する。
ここで、前述の第二角度は＋３０°以上＋６０°以下であり、第三角度は−３０°以下−６０°以上であることが好ましい。
【００１０】
さらには、本発明の他の態様のメガネフレームの前フレーム(Ｆｒｏｎｔ  ｓｅｃｔｉｏｎ)は、ロッド部を有する。ロッド部は、上向き或いは下向きに所定の長さ延伸される第一支持部、および、上向き或いは下向きに所定の長さ延伸される第二支持部に連結される。ロッド部材と、第一支持部及び第二支持部とは、レンズを納置させる収納空間を定義する。
【００１１】
前フレームは、長軸からなる管体を含む。管体は、熱硬化性樹脂及び繊維を補強させる繊維強化プラスチック材料で製造される第一シェルレイヤを含む。第一シェルレイヤは第一繊維束を有し、各繊維束の延伸方向と管体の長軸とは所定の角度を形成する。これにより、メガネフレームが前フレームを有する場合、レンズの取付け或いは取外しが非常に簡易になり時間も節約出来る。
【発明の効果】
【００１２】
本発明によれば、軽量で、強度も十分であり且つ適度な弾性を有するメガネフレームが得られる。
【図面の簡単な説明】
【００１３】
【図１】本発明の第１実施形態によるメガネフレームの斜視図である。
【図２】図１のテンプルの管体の部分的な断面の斜視図である。
【図３】本発明の第２実施形態によるメガネフレームの斜視図である。
【図４】図３のメガネフレームの部分的な分解斜視図である。
【図５】図３の前フレームの管体の部分的な断面の斜視図である。
【図６】本発明の第３実施形態によるメガネフレームの斜視図である。
【発明を実施するための形態】
【００１４】
以下、本発明の実施形態を図面に基づいて説明する。なお、本発明は、以下に説明する実施形態に限定されるものではない。
まず、本発明のメガネフレーム構成ユニットの第１実施形態について説明する。
【００１５】
（第１実施形態）
図１および図２に示すように、本発明の第１実施形態に係るメガネフレームは、フルリムメガネフレーム１０であり、一対の前フレーム(Ｆｒｏｎｔ  ｓｅｃｔｉｏｎ)１２及び一対のテンプル１４を主に有する。各テンプル１４は、第１実施形態のものである。
【００１６】
各前フレーム１２は、軽量の金属であり、例えばチタン金属或いはその合金で製造される。上リム１６および下リム１８は、レンズ２０を収容する開孔部をそれぞれ有する。各前フレーム１２は、ブリッジ２２により連結される。一対のパッド２３は、各下リム１８の対向し合う内側にそれぞれ配置される。
【００１７】
テンプル１４は、第一端２４および第二端２６を有し、第一端２４および第二端２６によりテンプル１４の長さが定められる。各テンプル１４の第一端２４は、それぞれ蝶番(ｈｉｎｇｅ)２８により各前フレーム１２の上リム１６の外側に回転可能に設けられる。蝶番２８の構造は、従来の技術に属するため、詳述は省く。
【００１８】
本実施形態では、各テンプル１４は、管体３０をそれぞれ有する。管体３０は、第一シェルレイヤとしての内層３２および第二シェルレイヤ外層３４を有する。内層３２および外層３４は、それぞれ１層の予浸される熱硬化性樹脂の繊維プリプレグ(ｐｒｅｐｒｅｇ)により製造され、本実施形態ではエポキシ樹脂の炭素繊維プリプレグを予浸させる。
【００１９】
内層３２の繊維プリプレグは、複数の一方向性の第一繊維束３６を有する。各第一繊維束３６の延伸方向と管体３０の長軸Ｘとは平行になり、両者の交角は０°である。外層３４の繊維プリプレグは、複数の第二繊維束３８及び複数の第三繊維束４０を有する。各第二繊維束３８の延伸方向と管体３０の長軸Ｘとの交角は＋３０°から＋６０°の間であり、＋４５°が最も好ましい。各第三繊維束４０の延伸方向と管体３０の長軸Ｘとの交角は−３０°から−６０°の間であり、−４５°が最も好ましい。
【００２０】
各テンプル１４の構造は、以上のような配置により、軽量であるのみならず、強度および弾性も実際の需要に応えられる。また、管体３０内に、例えばポリウレタンフォーム材料であるプラスチックフォームで製造される芯部４２を充填する事で、各テンプル１４の強度は更に増す。
なお、前フレーム１２が、熱硬化性樹脂及び繊維を補強させる繊維強化プラスチック材料で製造されるシェルレイヤからなる管体を有するように構成してもよい。
【００２１】
（第２実施形態）
次は、本発明のメガネフレームの第２実施形態について説明する。
図３〜図５に示すように、本実施形態に係るメガネフレームは、ハーフリムメガネフレーム５０であり、前フレームとしての一対の前上リム５２と一対のテンプル５４とを有する。テンプル５４は、構造上、第１実施形態のメガネフレーム１０のテンプル１４と同じ或いは軽金属で製造される。各前上リム５２は本発明の第２実施形態のものであり、外観上ロッド部５６と、ロッド部５６の二端から下へ所定の長さ湾曲される第一支持部５８及び第二支持部６０を有する。なお、本実施形態では、「二端」とは、各レンズ９０の両側に対応する箇所である。
【００２２】
前上リム５２は、管体６２を有し、管体６２は、第一シェルレイヤとしての内層６４と第二シェルレイヤとしての外層６６で構成される。内層６４および外層６６はそれぞれ一層の予浸される熱硬化性樹脂の繊維プリプレグ(ｐｒｅｐｒｅｇ)により製造され、本実施形態ではエポキシ樹脂の炭素繊維プリプレグを予浸させる。
【００２３】
内層６４の繊維プリプレグは、一方向に延伸される複数の第一繊維束６８を有する。各第一繊維束６８の延伸方向と管体６２の長軸Ｘとは平行であり、両者の交角は０°である。
外層６６は、複数の第二繊維束７０および複数の第三繊維束７２を有する。各第二繊維束７０の延伸方向と管体６２の長軸Ｘとの交角は＋３０°から＋６０°の間であり、＋４５°が最も好ましい。各第三繊維束７２の延伸方向と管体６２の長軸Ｘとの交角は−３０°から−６０°の間であり、−４５°が最も好ましい。
【００２４】
このほか、管体６２内には、例えばポリウレタンフォーム材料であるプラスチックフォームで製造される芯部６３を充填させる事で、各前上リム５２の強度が増す。また本実施形態の各前上リム５２は、レンズ交換が簡単で、内側のフレーム面には溝部８０を設け、レンズ９０の辺縁９２を嵌入させる。
【００２５】
各前上リム５２は、前述の構造を有するため、各前上リム５２は適度な弾性を有し、設計サイズ上、第一支持部５８と第二支持部６０との間の距離は、レンズ９０対応部位の幅よりやや短い。このため、レンズ９０を前上リム５２の溝部８０に嵌設させる場合、レンズ９０を溝部８０に沿って圧入させるのみで、第一支持部５８および第二支持部６０はそれぞれ外へ開き、レンズ９０を嵌入でき、外力から解放された後、弾性回復力によりレンズ９０を各第一支持部５８と第二支持部６０との間に挟着させる。
【００２６】
このほか、レンズ９０を前フレーム５２に嵌設させ、溝部８０の所定の部位には少なくとも一つの凹部８２を設ける。レンズ９０には、辺縁９２の対応部位に突起９４を設ける。レンズ９０の辺縁９２が前フレーム５２の溝部８０に嵌設されると、突起９４が凹部８２内に嵌入する。
さらには、各前上リム５２は、前述の構造を有するため、レンズ９０を取り外す場合、レンズ９０を持ち前上リム５２の下方へ外すように引っ張り、レンズ９０を取外す。
【００２７】
（第３実施形態）
最後は、本発明のメガネフレームの第３実施形態について説明する。
図６に示すように、本実施形態に係るメガネフレームは、アンダーリムメガネフレーム１００であり、本発明に係る第３実施形態のもので構成される前フレームとしての一対の前下リム１０２を有する。各前下リム１０２は、第２実施形態の各前上リム５２と同様にロッド部１０４を有する。異なる点は、各前下リム１０２は、ロッド部１０４の両端から上へ向け延伸される左支持部１０６及び右支持部１０８をそれぞれ有する点である。各前下リム１０２は、管体６２の構造と同じ管体を有するため、これについての詳述は省く。
【００２８】
上述の実施形態は本発明の技術思想及び特徴を説明するためのものにすぎず、当技術分野を熟知する者に本発明の内容を理解させると共にこれをもって実施させることを目的とし、本発明の技術的範囲を限定するものではない。従って、本発明の精神を逸脱せずに行う各種の同様の効果をもつ改良又は変更は、本発明の技術的範囲に含まれるものとする。
【符号の説明】
【００２９】
１０・・・フルリムメガネフレーム
１２・・・前フレーム
１４・・・テンプル
１６・・・上リム
１８・・・下リム
２０・・・レンズ
２２・・・ブリッジ
２３・・・パッド
２４・・・第一端
２６・・・第二端
２８・・・蝶番
３０・・・管体
３２・・・内層（第一シェルレイヤ）
３４・・・外層（第二シェルレイヤ）
３６・・・第一繊維束
３８・・・第二繊維束
４０・・・第三繊維束
５０・・・ハーフリムメガネフレーム
５２・・・前上リム（前フレーム）
５４・・・テンプル
５６・・・ロッド部
５８・・・第一支持部
６０・・・第二支持部
６２・・・管体
６３・・・芯部
６４・・・内層（第一シェルレイヤ）
６６・・・外層（第二シェルレイヤ）
６８・・・第一繊維束
７０・・・第二繊維束
７２・・・第三繊維束
８０・・・溝部
９０・・・レンズ
９２・・・辺縁
９４・・・突起
１００・・・アンダーリムメガネフレーム
１０２・・・前下リム（前フレーム）
１０４・・・ロッド部
１０６・・・左支持部
１０８・・・右支持部
【図１】
2013088801.tif 000003
【図２】
2013088801.tif 000004
【図３】
2013088801.tif 000005
【図４】
2013088801.tif 000006
【図５】
2013088801.tif 000007
【図６】
2013088801.tif 000008